【事件の表示】
　特許第３３７６３９２号「写真自販機」の請求項１ないし１０に係る特許に対する特許異議の申立てについて、次のとおり決定する。
【結　論】
　訂正を認める。
　特許第３３７６３９２号の請求項１ないし１０に係る特許を取り消す。
【理　由】
１．手続きの経緯
　本件特許第３３７６３９２号の請求項１ないし１０に係る発明についての出願は、平成１３年１月１９日に出願した特願２００１−０１１１１７号の一部を平成１３年１０月１７日に新たな特許出願とされたものであって、平成１４年１２月６日にその特許の設定登録がなされ、その後、異議申立人　迫　靖　から特許異議の申立てがなされ、取消理由通知がなされ、その指定期間内である平成１６年１０月２２日に訂正請求がなされたものである。
　
２．訂正の適否についての判断
（１）訂正の内容
（ａ）訂正事項ａ
　特許請求の範囲の請求項１の「プリンタの設置箇所によって」と「設定し得るようになっており、」の間に「あらかじめ」の５字を挿入する。
（ｂ）訂正事項ｂ
　段落０００７の「プリンタの設置箇所によって」と「設定し得るようになっており、」の間に「あらかじめ」の５字を挿入し、
　また段落０００８の「プリンタの設置箇所によって」と「設定し得るようになっており、」の間に「あらかじめ」の５字を挿入する。
　
（２）訂正の目的の適否、新規事項の有無及び拡張・変更の存否
（ａ）訂正事項ａについて
　本訂正は、特許明細書００３６段落および００６６段落の記載に基づき、請求項１において、「あらかじめ」を追加したものであり、特許請求の範囲の減縮に相当し、特許明細書又は図面に記載された事項の範囲内の訂正であり、また、実質上特許請求の範囲を拡張または変更するものではない。
　
（ｂ）訂正事項ｂについて
  本訂正は、特許明細書００３６段落および００６６段落の記載に基づき、０００７段落および０００８段落において、「あらかじめ」を追加するために行われたものであり、特許請求の範囲の記載と発明の詳細な説明の記載の整合を図ったものであり、明りょうでない記載の釈明に相当するものである。また、この訂正事項ｂは、特許明細書又は図面に記載された事項の範囲内の訂正であり、実質上特許請求の範囲を拡張または変更するものではない。
　
（３）むすび
　以上のとおりであるから、上記訂正は、特許法第１２０条の４第２項及び同条第３項で準用する特許法第１２６条第２項から第４項の規定に適合するので、当該訂正を認める。
　
３．取消理由についての判断
（１）本件発明
　上記２．で示したように上記訂正が認められるから、本件の請求項１に係る発明（以下、「本件第１発明」という。）および本件の請求項１を引用した請求項２ないし１０に係る発明（以下、「本件第２発明」ないし「本件第１０発明」という。）は、上記訂正に係る訂正明細書の特許請求の範囲の請求項１ないし１０に記載された事項により特定されるとおりのものである。
　
（２）引用刊行物に記載された発明
　当審が平成１６年８月２３日付けで通知した取消しの理由において引用した刊行物１、４、６、７にはそれぞれ次のとおりの発明が記載されている。
（ａ）刊行物１：特開２０００−２４１８５４号公報（異議申立人提示の甲第１号証）
［記載イ−１］
「【０００１】・・・　本発明は、人物等の被写体の画像と予め用意された各種の背景画像との合成画像をシール等の出力媒体に印刷して出力する合成画像プリント装置に係り、特に、その筐体構造に関するものである。
【０００２】・・・ユーザ(被写体)の画像として・・・」（【０００１】−【０００２】段落）
　
［記載イ−２］
「【０００５】・・・本発明は、被写体の全身画像が撮影可能なカメラ、撮影した被写体画像を表示するディスプレイ装置と、撮影した被写体画像とユーザが選択した背景画像とをクロマキー合成法を用いて合成する画像処理手段を備えた制御装置と、合成画像を印刷出力するプリンタと、・・・が収容される本体部筐体と、・・・一側部が開口し、撮影対象の被写体を収容可能な空間を有する撮影室と、・・・背景部筐体と、・・・から構成したことを特徴とする。・・・
　また、前記本体部筐体の背面側板を除く正面側板および左側板、右側板には開口部を有し、前記プリンタを正面側板および左側板、右側板のいずれかの奥部に選択的に設置可能に構成したことを特徴とする。」（【０００５】段落）
　
［記載イ−３］
「【０００８】・・・本体部筐体１には、被写体の全身画像が撮影可能なカメラ７、撮影した被写体画像を表示するディスプレイ装置８と、撮影した被写体画像とユーザが選択した背景画像とをクロマキー合成法を用いて合成する画像処理手段を備えた制御装置９と、合成画像を印刷出力するプリンタ１０と、・・・課金装置１２と・・・が収容されている。・・・
　一方、背景部筐体２には、・・・撮影対象の被写体２０を収容可能な空間を有する撮影室１８・・・が設けられている。・・・」（【０００８】段落）
　
［記載イ−４］
「【００１０】　ところで、この種の装置を設置する場合、プリントシールの出口が建物の壁面に面してしまったり、他の装置との間に面してしまうことがある。そこで、本発明では、プリントシールの出口を本体部筐体１の正面、右側面、左側面のいずれにも配置可能なように構成している。・・・
【００１１】図７では、３つの具体例を示し、同図（ａ）では左側板側の扉１７の奥部に２台のプリンタを配置し、正面側板側の扉１５の奥部に制御装置９を構成するパーソナルコンピュータを配置する例を示している。また、同図（ｂ）では、正面側板側の扉１５の奥部に１台のプリンタとパーソナルコンピュータを配置する例を示している。さらに、同図（ｃ）では右側板側の扉１６の奥部に２台のプリンタを配置し、正面側板側の扉１５の奥部に制御装置９を構成するパーソナルコンピュータを配置する例を示している。・・・なお、２台のプリンタを配置するようにしている理由は、・・・撮影を終了したユ−ザには撮影室外部に出てもらい、右側面または左側面にプリントシ−ル出口が設けられたプリンタに印刷を行わせ、次のユ−ザには他方のプリンタで印刷させるように稼働させることにより、印刷待ちのユ−ザによって装置が占有される時間を短縮し、装置の稼働率を向上させるなどの制御を行うようにするものである。
【００１２】　このような選択配置構造は、・・・プリンタ・・・を固定するスライドレール２３の筐体取り付け位置を、台座や棚板等の支持部材上で任意に選択可能なようにネジ穴を形成しておくことによって実現することができる。・・・
　このように、プリンタ１０・・・を収納する開口部を正面側板下部、右側板下部、左側板下部にそれぞれ設けておき、装置の設置場所に応じて、プリンタ１０・・・を固定する位置を選択・・・することにより、ユーザがプリントシールを取り出し易い向きにプリントシール出口を選定することが可能になり、装置の設置場所の融通性が高くなる。・・・」（【００１０】−【００１２】段落）
　
［記載イ−５］
【００１３】・・・ディスプレイ装置８は、・・・被写体画像や各種の操作案内等を表示する。・・・」（【００１３】段落）
　
（ｂ）刊行物４：特許第３０２１６３８号公報（同甲第４号証）
［記載ロ−１］
「本発明は自動的に写真を撮影するための硬貨・・・作動装置に関するものである。」（公報第２頁左欄８−９行）
　
［記載ロ−２］
「制御手段は、写真機により撮影されるべき画像を使用者に示し得る可視的ディスプレイ装置をも具備することが好ましい。この付属設備により、今の画像が適当でプリントされるべきか否かを判断することができる。」（公報第３頁左欄３０−３４行）
　
［記載ロ−３］
「上述した撮影装置はパスポートタイプの人物写真もしくは肖像写真、あるいは例えば人物写真を興味深い、もしくは娯楽的な背景もしくは前景あるいは補助的写真ないし装飾などと重ね合わせもしくは併べ合わせて成るおもしろい複合写真をもたらすために使用され得る。・・・必要であれば使用者自身の補助的画像・・・を利用し得るようにすることもできる。」（公報第３頁右欄１２−３３行）
　
［記載ロ−４］
「写真撮影帯域３に近接してボックス構造体１の側壁15には、・・・排出口17が在る。」（公報第５頁左欄２６−２８行）
　
［記載ロ−５］
「最終的な画像が使用者に容認されると、・・・ 次いでVDUスクリーン12の指示により使用者はブースを離れ、その外でプリントを受取るように要請される。プリンター24、25の一方が作動され、指示されたカラープリントが作成され、ブース外壁の排出口17から使用者に交付される。この短い待機時間中に他の使用者がブースに入り、撮影装置を使用することができる。」（公報第５頁右欄４４行−第６頁左欄２行）
　
（ｃ）刊行物６：登録実用新案第３０７３４１０号公報（同甲第６号証） 
［記載ハ−１］
「【００１０】・・・映像プリント遊戯装置１は、遊戯者の全身を被写体として撮影し、その被写体像をシールにプリントして遊戯者に提供するものである。・・・遊戯者は、合成画像上にメッセージや図形等を描きたい場合には、ライトペン１２により合成画像上にメッセージや図形をなぞるようにして描く。これにより、装置本体２内に遊戯者が描いたメッセージや図形が入力されて、これらの描画と合成画像とを重ね合わせた画像がタッチスクリーン４上に表示される。・・・」（【００１０】段落）
　
［記載ハ−２］
「【００１２】・・・遊戯者は、この合成画像上にメッセージや図形を描きたい場合には、・・・ライトペン１２により合成画像上にメッセージ・・・や図形をなぞるようにして描く。・・・そして、遊戯者が・・・この重ね合わせ画像のプリントを指示すると、・・・この画像をプリンタ２７によりプリントシール上に印刷する。」（【００１２】段落）
　
（ｄ）刊行物７：特許第３００５７１６号公報（同甲第７号証）
［記載ニ−１］
「【０００１】・・・本発明は、１枚の写真シールを複数の区画に区分して、各区画毎に纏まった一単位の画像を印刷する写真シール払出装置に関する。」（【０００１】段落）
　
［記載ニ−２］
「【０００５】　本発明は、・・・１枚の写真シールの区画のレイアウトの種類・・・を使用者が任意に選択できる写真シール払出装置を提供することを、その課題とする。」（【０００５】段落）
　
［記載ニ−３］
「【００６２】・・・使用者が・・・所定のコインを投入すると・・・表示画面上にレイアウトパターンを表示させる。
【００６３】レイアウトパターンは、・・・たとえば４種類用意されており・・・レイアウトＡは、１枚の写真シール４１を６区画に区分した例である。レイアウトＢは、１枚の写真シール４１を９区画に区分した例である。レイアウトＣは、１枚の写真シール４１を１１区画に区分した例である。レイアウトＤは、１枚の写真シール４１を６区画に区分した例である。・・・
【００６４】使用者がジョイスティック１１を操作してレイアウトＡ〜Ｄのうちの所望のレイアウトを１つ選択し、確定用押釦スイッチ１２を押下してレイアウトを確定させる・・・」（【００６２】−【００６４】段落）
　
［記載ニ−４］
「【００６８】そしてＣＰＵ３１が、使用者によって選択されたレイアウトに基づいて、使用者により選択された装飾画像と、カメラ２２によって撮像されて使用者によって選択された３枚の被写体画像とを合成し、各区画に嵌め込む。・・・
【００６９】以上のようにして合成された１枚の写真シール４１を印刷するための赤、緑、青各色８ビットのカラー画像データは、インターフェイス３４を介してプリンタ２５に供給される。これによりプリンタ２５は、・・・Ａ４サイズの写真シール用紙上に印刷して、・・・写真シール払出口１６から払出装置本体部２の外部に払い出す。」（【００６８】−【００６９】段落）
　
（３）対比・判断
（ａ）本件第１発明
　訂正された本件第１発明は、
「使用者を含む被写体を撮影してその写真を販売する写真自販機であって、被写体を撮影する撮影手段と、上記撮影手段で撮影された撮影画像を印刷媒体に印刷して写真プリントとして出力するプリンタとを備え、上記撮影手段による撮影画像を印刷するプリンタを筐体内の複数箇所に存在させうるように構成されて上記プリンタを選択的に設置しうるようになっているとともに、使用者に上記プリンタで印刷される印刷媒体の送出口の位置を知らせる位置表示手段を備え、上記位置表示手段による送出口の位置表示を上記プリンタの設置箇所によってあらかじめ設定しうるようになっており、上記位置表示手段による送出口の位置表示は、印刷終了までの間に使用者が待機する場所を示す待機メッセージ画面であり、上記待機メッセージ画面を一定時間表示したのち、印刷の終了を待たずにつぎの撮影を待機する状態となることを特徴とする写真自販機。」
である。
　一方、刊行物１には、以下の発明が記載されている。
「ユ−ザである被写体を撮影してその写真を出力する合成画像プリント装置であって、被写体を撮影するカメラと、上記カメラで撮影された撮影画像をシール等の出力媒体に印刷して出力するプリンタとを備え、上記撮影手段による撮影画像を印刷するプリンタを筐体内の複数箇所に存在させうるように構成されて上記プリンタを選択的に設置しうるようになっているとともに、
　各種の操作案内等の表示をするディスプレイ装置を備え、
　課金装置を備える合成画像プリント装置。」
　刊行物１に記載された発明の「ユーザである被写体」、「カメラ」、「撮影画像をシール等の出力媒体に印刷して出力するプリンタ」、「ディスプレイ装置」、「各種の操作案内等の表示」、「課金装置を備える合成画像プリント装置」は本件第１発明の「使用者を含む被写体」、「撮影手段」、「撮影画像を印刷媒体に印刷して写真プリントとして出力するプリンタ」、「表示手段」、「メッセージ画面」、「写真自販機」に相当する。
　したがって、両者は、
「使用者を含む被写体を撮影してその写真を販売する写真自販機であって、被写体を撮影する撮影手段と、上記撮影手段で撮影された撮影画像を印刷媒体に印刷して写真プリントとして出力するプリンタとを備え、上記撮影手段による撮影画像を印刷するプリンタを筐体内の複数箇所に存在させうるように構成されて上記プリンタを選択的に設置しうるようになっているとともに、使用者に各種の案内を表示する表示手段を備える写真自販機。」
　である点で一致し、以下の点で相違する。
　
相違点：
　本件第１発明では表示手段がプリンタで印刷される印刷媒体の送出口の位置を知らせる位置表示手段であり、上記位置表示手段による送出口の位置表示を上記プリンタの設置箇所によってあらかじめ設定しうるようになっており、上記位置表示手段による送出口の位置表示は、印刷終了までの間に使用者が待機する場所を示す待機メッセージ画面であり、上記待機メッセージ画面を一定時間表示したのち、印刷の終了を待たずにつぎの撮影を待機する状態となるのに対し、刊行物１に記載された発明では、ディスプレイ装置にどのような操作案内が表示されるか記載されていない点。
　
判断：
　刊行物４には、
「自動的に写真を撮影するための硬貨作動装置において、最終的な画像が使用者に容認されると、次いでVDUスクリーン12の指示により使用者はブースを離れ、その外でプリントを受取るように要請される。プリンター24、25の一方が作動され、指示されたカラープリントが作成され、ブース外壁の排出口17から使用者に交付される。この短い待機時間中に他の使用者がブースに入り、撮影装置を使用することができる。」
という発明が記載されている。
　ここで、「ブースを離れ、その外で」という指示は、プリンターの排出口が、ブースの中でなく外（具体的にはブース外壁。上記（２）（ｂ）における［記載ロ−４］、［記載ロ−５］参照）であるという「位置を知らせる」ものであることは明らかである。加えて、本件請求項１の「位置を知らせる」という記載を仮に本件図面第７図に示されるように矢印を以て送出口の位置表示を行うことであると解釈して検討しても、VDUスクリーン（刊行物４のVDUスクリーンは文字情報のみでなく画像を表示できる。（上記（２）（ｂ）における［記載ロ−２］参照））を使って、外でプリントを受け取るべくブースを退出するよう指示を出すにあたり、退出方向を指す矢印を用いて使用者に指示を与えるということに格別の発明力が必要であるとする理由は見あたらず、またその矢印が退出方向、すなわちプリンターの排出口に向かう方向に向けることも、通常の設計である（それ以外の方向に向けるという設計は、特殊な事情が無い限り考え難い）。
　またこのVDUスクリーン12による指示の表示はあらかじめプログラミングされてなされるものであることは当業者ならば困難なく想到できる。
　さらに「この短い待機時間中に他の使用者がブースに入り、撮影装置を使用することができる」とされている以上は、当該指示の表示は「他の使用者」がブースに入ったときには消えているようなプログラミングが望ましいということは当業者ならば容易に気付くことであり（消えなければ「他の使用者」に対し誤った指示を与えてしまう）、そして当該指示の表示を消すにあたり「一定時間」の経過で消すとすることは困難なく選択できる設計事項である。
　そして刊行物１に記載された発明と刊行物４に記載された発明は技術分野を同じくするものであり、刊行物１に記載された発明の表示手段（「ディスプレイ装置」）に刊行物４に記載された発明の表示内容を適用して相違点１の構成を得ることに困難性はない。
　したがって、本件第１発明は刊行物１、４に記載された発明に基づいて当業者が容易に発明できたものであって、本件第１発明の特許は特許法第２９条第２項の規定に違反してなされたものである。
　
（ｂ）本件第２発明
　本件第２発明は、本件第１発明における「プリンタ」の設置箇所について「筐体内の被写体側を除く部分の複数箇所にプリンタを存在させうるように構成されている」と限定した発明である。
　しかしながら、刊行物１には、上記（３）（ａ）で認定したことに加え、プリンタを収納する開口部を正面側板下部、右側板下部、左側板下部にそれぞれあらかじめ設けることが記載されており、すなわち本体部筐体の正面側板すなわち被写体側を除く部分でも複数箇所でプリンタを設置可能である発明が記載（上記（２）（ａ）における［記載イ−４］参照）されている。
　したがって、本件第２発明は刊行物１、４に記載された発明に基づいて当業者が容易に発明できたものであって、本件第２発明の特許は特許法第２９条第２項の規定に違反してなされたものである。
　
（ｃ）本件第３発明
  本件第３発明は、本件第１発明における「プリンタ」の設置箇所について「筐体内の被写体側とそれ以外の部分とにプリンタを存在させうるように構成されている」と限定した発明である。
　しかしながら、刊行物１には、上記（３）（ｂ）で指摘したように、プリンタを収納する開口部を正面側板下部、右側板下部、左側板下部にそれぞれあらかじめ設ける発明が記載（上記（２）（ａ）における［記載イ−４］参照）されており、したがって本件第３発明は刊行物１、４に記載された発明に基づいて当業者が容易に発明できたものであって、本件第３発明の特許は特許法第２９条第２項の規定に違反してなされたものである。
　
（ｄ）本件第４発明
  本件第４発明は、本件第１−３発明におけるプリンタを存在させうる「筐体内の複数箇所」に、「プリンタ設置台が設けられている」と限定したものである。
　しかしながら、刊行物１には、上記（３）（ａ）、（ｂ）で認定したことに加え、プリンタを固定するスライドレール２３の筐体取り付け位置を、台座や棚板等の支持部材上で任意に選択可能なようにネジ穴を形成しておく発明が記載（上記（２）（ａ）における［記載イ−４］参照）されており、またプリンタの設置構造としてネジ穴とスライドレールを使ったものに代えて単なる台を採用することは当業者にとり容易である。
　したがって、本件第４発明は刊行物１、４に記載された発明に基づいて当業者が容易に発明できたものであって、本件第４発明の特許は特許法第２９条第２項の規定に違反してなされたものである。
　
（ｅ）本件第５発明
  本件第５発明は、本件第４発明における「プリンタ設置台」に「選択的にプリンタを設置しうるようになっている」と限定したものである。
　しかしながら、刊行物１において、上記（３）（ｄ）で指摘したように、正面側板側および左側板側、右側板側のいずれかの「ネジ穴」に対してプリンタは選択的に取り付けできる発明が記載されており、したがって、本件第５発明は刊行物１、４に記載された発明に基づいて当業者が容易に発明できたものであって、本件第５発明の特許は特許法第２９条第２項の規定に違反してなされたものである。
　
（ｆ）本件第６発明
　本件第６発明は、本件第１−５発明における「筐体」を「撮影用ブースの一部を構成するものである」と限定したものである。
　しかしながら、刊行物１には、上記（３）（ａ）、（ｂ）、（ｄ）で認定したことに加え、「本発明は、被写体の全身画像が撮影可能なカメラ、撮影した被写体画像を表示するディスプレイ装置と、撮影した被写体画像とユーザが選択した背景画像とをクロマキー合成法を用いて合成する画像処理手段を備えた制御装置と、合成画像を印刷出力するプリンタと、・・・が収容される本体部筐体と、・・・一側部が開口し、撮影対象の被写体を収容可能な空間を有する撮影室と、・・・背景部筐体と、・・・から構成した」とあり、本体部「筐体」（「なお背景部筐体」も同様）が、「撮影対象の被写体を収容可能な空間」を構成する一部となっている発明が記載（上記（２）（ａ）における［記載イ−２］参照）されている。
　したがって、本件第６発明は刊行物１、４に記載された発明に基づいて当業者が容易に発明できたものであって、本件第６発明の特許は特許法第２９条第２項の規定に違反してなされたものである。
　
（ｇ）本件第７発明
　本件第７発明は、本件第１−６発明における「送出口の位置表示」を「撮影画像を使用者に対して表示するディスプレイに表示される」と限定したものである。
　しかしながら、刊行物４には、上記（３）（ａ）で認定したことに加え、「制御手段は、写真機により撮影されるべき画像を使用者に示し得る可視的ディスプレイ装置をも具備することが好ましい。この付属設備により、今の画像が適当でプリントされるべきか否かを判断することができる。」（上記（２）（ｂ）における［記載ロ−２］参照）という「可視的ディスプレイ装置」である「VDUスクリーン12」から、「使用者はブースを離れ、その外でプリントを受取るよう」指示を出す発明が記載（上記（２）（ｂ）における［記載ロ−５］参照）されている。
　したがって、本件第７発明は刊行物１、４に記載された発明に基づいて当業者が容易に発明できたものであって、本件第７発明の特許は特許法第２９条第２項の規定に違反してなされたものである。
　
（ｈ）本件第８発明
　本件第８発明は、本件第１−７発明における「待機メッセージ画面」を「印刷が開始されると表示部に表示される」と限定したものである。
　しかしながら、刊行物４には、上記（３）（ａ）、（ｇ）で認定したことに加え、「最終的な画像が使用者に容認されると、次いでVDUスクリーン12の指示により使用者はブースを離れ、その外でプリントを受取るように要請される。プリンター24、25の一方が作動され、指示されたカラープリントが作成され、ブース外壁の排出口17から使用者に交付される。」という発明の記載（上記（２）（ｂ）における［記載ロ−５］参照）があり、これより「使用者はブースを離れ、その外でプリントを受取る」という指示を出すタイミングを、「最終的な画像」の選択が終わりプリンターが作動するタイミングで出されるものとすることは容易である。
　したがって、本件第８発明は刊行物１、４に記載された発明に基づいて当業者が容易に発明できたものであって、本件第８発明の特許は特許法第２９条第２項の規定に違反してなされたものである。
　
（ｉ）本件第９発明
　本件第９発明は、本件第１−８発明における「写真プリント」が「使用者に対して手書き画像等を入力させて当該手書き画像等を撮影画像と合成した合成画像」を印刷したものと限定したものである。
　しかしながら、刊行物１には、上記（３）（ａ）、（ｂ）、（ｄ）、（ｆ）で認定したことに加え、「撮影した被写体画像とユーザが選択した背景画像とをクロマキー合成法を用いて合成する画像処理手段を備えた制御装置９と、合成画像を印刷出力する」とあり、つまりユーザが画像を選択して撮影画像と合成する発明が記載（上記（２）（ａ）における［記載イ−２］参照）されており、
　また刊行物４には、上記（３）（ａ）、（ｇ）、（ｈ）で認定したことに加え、「上述した撮影装置はパスポートタイプの人物写真もしくは肖像写真、あるいは例えば人物写真を興味深い、もしくは娯楽的な背景もしくは前景あるいは補助的写真ないし装飾などと重ね合わせもしくは併べ合わせて成るおもしろい複合写真をもたらすために使用され得る。・・・必要であれば使用者自身の補助的画像・・・を利用し得るようにすることもできる。」とあり、つまり使用者が自身の「補助的画像」を入力して撮影画像と合成する発明が記載（上記（２）（ｂ）における［記載ロ−３］参照）されている。
　さらに、手書き画像を入力して撮影画像と合成する発明が、上記（２）（ｃ）における［記載ハ−１］、［記載ハ−２］で摘指したように、刊行物６に記載されている。
　したがって、本件第９発明は刊行物１、４、６に記載された発明に基づいて当業者が容易に発明できたものであって、本件第９発明の特許は特許法第２９条第２項の規定に違反してなされたものである。
　
（ｊ）本件第１０発明
　本件第１０発明は、本件第１−９発明における「写真プリント」が「使用者に所望のシートレイアウトを選択させ、選択されたシートレイアウトの写真プリント」であると限定したものである。
　しかしながら、上記（２）（ｄ）における［記載ニ−１］−［記載ニ−４］で摘指したように、刊行物７には、写真シール払出装置において、使用者に所望の１枚の写真シールの区画のレイアウトを選択させ、その使用者によって選択されたレイアウトに基づいて合成された１枚の写真シールをプリンタが印刷し、写真シール払出口から払出装置本体部２の外部に払い出す発明が記載されている。
　したがって、本件第１０発明は刊行物１、４、６、７に記載された発明に基づいて当業者が容易に発明できたものであって、本件第１０発明の特許は特許法第２９条第２項の規定に違反してなされたものである。
　
（４）むすび
　以上のとおりであるから、本件請求項１ないし１０に係る発明は、特許法第２９条第２項の規定により特許を受けることができない。
　したがって、本件請求項１ないし１０に係る発明についての特許は、特許法第１１３条第２号に該当し、取り消されるべきものである。
　よって、結論のとおり決定する。
【異議決定日】
平成１７年３月１８日（２００５．３．１８）
【訂正の要旨】
審決（決定）の【理由】欄参照。
（５４）【発明の名称】
写真自販機
（５７）【特許請求の範囲】
　【請求項１】　使用者を含む被写体を撮影してその写真を販売する写真自販機であって、被写体を撮影する撮影手段と、上記撮影手段で撮影された撮影画像を印刷媒体に印刷して写真プリントとして出力するプリンタとを備え、上記撮影手段による撮影画像を印刷するプリンタを筐体内の複数箇所に存在させうるように構成されて上記プリンタを選択的に設置しうるようになっているとともに、使用者に上記プリンタで印刷される印刷媒体の送出口の位置を知らせる位置表示手段を備え、上記位置表示手段による送出口の位置表示を上記プリンタの設置箇所によって
あらかじめ
　【請求項２】　上記筐体内の被写体側を除く部分の複数箇所にプリンタを存在させうるように構成されている請求項１記載の写真自販機。
　【請求項３】　筐体内の被写体側とそれ以外の部分とにプリンタを存在させうるように構成されている請求項１記載の写真自販機。
　【請求項４】　上記筐体内の複数箇所にプリンタ設置台が設けられている請求項１〜３のいずれか一項に記載の写真自販機。
　【請求項５】　上記各プリンタ設置台に選択的にプリンタを設置しうるようになっている請求項４記載の写真自販機。
　【請求項６】　上記筐体が撮影用ブースの一部を構成するものである請求項１〜５のいずれか一項に記載の写真自販機。
　【請求項７】　上記位置表示手段による送出口の位置表示は、撮影画像を使用者に対して表示するディスプレイに表示される請求項１〜６のいずれか一項に記載の写真自販機。
　【請求項８】　上記待機メッセージ画面は、印刷が開始されると表示部に表示される請求項１〜７のいずれか一項に記載の写真自販機。
　【請求項９】　使用者に対して手書き画像等を入力させて当該手書き画像等を撮影画像と合成し、この合成画像を、選択的に設置されたプリンタにより印刷し、得られた写真プリントを上記位置表示手段で表示された送出口から送出するようになっている請求項１〜８のいずれか一項に記載の写真自販機。
　【請求項１０】　使用者に所望のシートレイアウトを選択させ、選択されたシートレイアウトの写真プリントを上記位置表示手段で表示された送出口から送出するようになっている請求項１〜９のいずれか一項に記載の写真自販機。
【発明の詳細な説明】
　【０００１】
　【発明の属する技術分野】
　本発明は、ゲームセンター等に設置され、硬貨等の投入により使用者を撮影し、撮影画像をプリントして販売する写真自販機に関するものである。
　【０００２】
　【従来の技術】
　近年、ゲームセンター等において、写真を撮影してシールプリント等にする写真自販機が数多く設置されている。このような写真自販機としては、一般に、図１２に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
　【０００３】
　上記写真自販機では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
　【０００４】
　【発明が解決しようとする課題】
　上記写真自販機では、プリンタ５７から排出される写真プリント５８を、使用者５４と対面する側に送出するようになっているため、撮影が終了してから印刷が終了するまでの間、撮影が終了した使用者５４はその場所で待っていなければならない。したがって、つぎの使用者５４は、前の使用者５４が送出された写真プリント５８を手にしてその場からいなくなるまで撮影を開始することができず、顧客は不必要に待たされてイライラ感を抱き、店舗にとっては顧客の回転率が悪くなるという問題があった。
　【０００５】
　このような問題を解決するため、本体５２の側面に写真プリントの送出口を設けた写真自販機も考案されているが、本体５２の側面に写真プリントの送出口を設けた構造では、店舗内での置き場所に制限が加わるという新たな問題が生じている。すなわち、本体５２の側面に送出口がある側面は、壁に近接させることができない。また、送出口の前では使用者５４が写真プリントの出来上がりを待つため、ある程度のスペースを空けておく必要がある。
　【０００６】
　本発明は、このような事情に鑑みなされたもので、写真自販機本体の置き場所の制限が少なくなる写真自販機の提供を目的とする。
　【０００７】
　【課題を解決するための手段】
　上記の目的を達成するため、本発明の写真自販機は、使用者を含む被写体を撮影してその写真を販売する写真自販機であって、被写体を撮影する撮影手段と、上記撮影手段で撮影された撮影画像を印刷媒体に印刷して写真プリントとして出力するプリンタとを備え、上記撮影手段による撮影画像を印刷するプリンタを筐体内の複数箇所に存在させうるように構成されて上記プリンタを選択的に設置しうるようになっているとともに、使用者に上記プリンタで印刷される印刷媒体の送出口の位置を知らせる位置表示手段を備え、上記位置表示手段による送出口の位置表示を上記プリンタの設置箇所によって
あらかじめ
　【０００８】
　すなわち、本発明の写真自販機は、被写体を撮影する撮影手段と、上記撮影手段で撮影された撮影画像を印刷媒体に印刷して写真プリントとして出力するプリンタとを備え、筐体内の複数箇所にプリンタを存在させうるように構成され、選択的にプリンタを設置しうるようになっているため、撮影が終了してから印刷が終了するまでの間、撮影が終了した使用者は撮影位置とは異なる位置で写真プリントの仕上がりを待つことができる。したがって、顧客は不必要に待たされることによるイライラ感を抱くことが少なくなり、店舗にとっては顧客の回転率がほとんど悪くならない。また、店舗内のレイアウト等に合わせた位置にプリンタを存在させればよいことから、店舗内での置き場所の制限が少なくなる。また、使用者に印刷媒体の送出口の位置を知らせる位置表示手段を備え、上記位置表示手段による送出口の位置表示をプリンタの設置箇所によって
あらかじめ
　【０００９】
　本発明の写真自販機において、上記筐体内の被写体側を除く部分の複数箇所にプリンタを存在させうるように構成されている場合には、撮影が終了してから印刷が終了するまでの間、撮影が終了した使用者は撮影位置とは異なる位置で写真プリントの仕上がりを待つことができる。したがって、顧客は不必要に待たされることによるイライラ感を抱くことが少なくなり、店舗にとっては顧客の回転率がほとんど悪くならない。
　【００１０】
　本発明の写真自販機において、筐体内の被写体側とそれ以外の部分とにプリンタを存在させうるように構成されている場合には、店舗内のレイアウト等に合わせた位置にプリンタを存在させることができ、店舗内での置き場所の制限が少なくなる。
　【００１１】
　本発明の写真自販機において、上記筐体内の複数箇所にプリンタ設置台が設けられている場合や、上記各プリンタ設置台に選択的にプリンタを設置しうるようになっている場合には、都合のよい位置のプリンタ設置台にプリンタを設置して使用できることから、プリンタの設置位置を容易に店舗内のレイアウトに合わせることができる。
　【００１２】
　本発明の写真自販機において、上記筐体が撮影用ブースの一部を構成するものである場合には、写真自販機全体が比較的大型のものとなることから、店舗内でのレイアウトの自由度が少なくなるため、店舗内のレイアウト等に合わせた位置にプリンタを移動できる本発明の効果が顕著で効果的である。
　【００１３】
　【発明の実施の形態】
　つぎに、本発明の実施の形態を詳しく説明する。
　【００１４】
　図１および図２は、本発明の写真自販機の一実施の形態を示す図である。この写真自販機は、内部および前面に各種の装置が設けられた筐体１と、上記筐体１の上下から被写体２の背後まで達するように突き出された支柱３とを備えている。以下、被写体２に面する側を筐体１の「前面」、その反対側を「背面」、被写体２から見て右側の側面を筐体１の「右側面」、その反対の側面を「左側面」という。
　【００１５】
　そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。これにより、上記筐体１が撮影用ブースの一部を構成するようになっている。
　【００１６】
　上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。また、上記筐体１の被写体２側には、上記コンピュータ装置７から送信された合成画像等の画像信号を受信して画像を表示するディスプレイ８が設けられている。
　【００１７】
　さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１の右側面に形成された送出口１９から送出されるようになっている。
　【００１８】
　上記プリンタ９は、プリンタ設置台１３上に設置されている。ここで、上記筐体１の内部には、図２に示すように、複数（この例では４つ）のプリンタ設置台１３ａ，１３ｂ，１３ｃ，１３ｄが設けられている。この例では、平面視長方形状の筐体１の内部の、被写体２側を除く左右の側面部にそれぞれ１つずつのプリンタ設置台１３ａ，１３ｄが設けられ、背面部に２つのプリンタ設置台１３ｃ，１３ｄが並べて設けられている。そして、上記４つのプリンタ設置台１３ａ，１３ｂ，１３ｃ，１３ｄのうちいずれかに、選択的にプリンタ９を設置しうるようになっている。
　【００１９】
　ここで、上記筐体１は、骨組みとなるフレーム１４に、面材であるパネル１６ａ，１６ｂが取り付けられて全体として大略箱状に形成されている。そして、プリンタ９が設置されている右側面には、送出口１９が穿設されたパネル１６ａが取り付けられ、プリンタ９が設置されていない左側面および右側背面と左側背面には、送出口１９が穿設されていないパネル１６ｂが取り付けられている。
　【００２０】
　上記各パネル１６ａ，１６ｂは、ビス止め等で着脱可能に取り付けられており、プリンタ９の設置位置を変更した際には、パネル１６ａ，１６ｂを交換し、プリンタ９の設置位置に対応する箇所に、送出口１９が穿設されたパネル１６ａを取り付け、それ以外の箇所に送出口１９が穿設されていないパネル１６ｂを取り付けるようになっている。
　【００２１】
　さらに、上記筐体１の前面には操作パネルが設けられ、この操作パネルにコントローラ１１が設けられている。上記コントローラ１１は、タッチペン１２を備えており、使用者２がディスプレイ８に表示される操作指示に従ってディスプレイ８の表面をタッチペン１２でタップ（軽く叩く）等することにより、各種の操作信号がコンピュータ装置７に送られ、シャッタ操作等の各種操作が行なわれるようになっている。
　【００２２】
　また、上記タッチペン１２は、その先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１５に印刷されるようになっている。
　【００２３】
　また、上記タッチペン１２は、ディスプレイ８に表示される指示に従って、使用者２が操作することによりアンケートを入力しうるようになっており、入力されたアンケートの結果を外部に送信しうるようになっている。
　【００２４】
　また、筐体１の前面には、対価としてのコインを投入するコイン投入口１８が設けられ、筐体１内部のコイン投入口１８に隣接した位置に、投入されたコインを検出してコンピュータ装置７に検出信号を送信するコイン検出部１７（図３参照）が設けられている。また、筐体１前面の適所には、コンピュータ装置７から音声信号を受信して出力するスピーカ（図示せず）が設けられている。
　【００２５】
　この例において、使用者２がディスプレイ８から見る画像およびプリンタ９から印刷される画像は、被写体２の撮影像と、タッチペン１２による手書き入力画像等とが合成されたものである。
　【００２６】
　つぎに、上記コンピュータ装置７のシステム構成について詳しく説明する。
　【００２７】
　図３に示すように、上記コンピュータ装置７は、タッチペン１２によりディスプレイ８の入力部３５に入力された各種の操作信号をコントローラ１１を介して受信し、受信した操作信号に応じて各種制御を行なう制御手段３１を備えている。上記制御手段３１は、コイン検出部１７からの検出信号を受信することにより、撮影等の制御を開始するようになっている。
　【００２８】
　上記ディスプレイ８には、タッチペン１２によって手書き画像や操作信号が入力される入力部３５と、画像等を表示する表示部３６とが設けられている。上記タッチペン１２で入力された手書き画像等は、ペン入力画像記憶部３２に記憶され、記憶された手書き画像等のデータは、後述する画像合成手段３０に送られる。また、タッチペン１２によって入力された操作信号は、コントローラ１１を介して制御手段３１に送られ、各種の制御が行なわれる。
　【００２９】
　上記コンピュータ装置７には、タッチペン１２によるペン入力画像の入力可能時間を計測するタイマ２６が設けられている。上記タイマ２６は、制御手段３１による手書き画像開始の指示メッセージをディスプレイ８に表示させるのとほぼ同時に計測を開始する。上記タイマ２６の計測時間があらかじめ設定された所定の入力可能時間（例えば９０秒等）に達したときに手書き画像等の入力を停止してつぎの動作に移るようになっている。
　【００３０】
　また、上記コンピュータ装置７には固定画像記憶部３８が設けられ、上記被写体２によるタッチペン１２の操作により所望のシャッタタイミングで撮像映像を静止画像として固定するようになっている。
　【００３１】
　また、上記コンピュータ装置７には、シャッタ操作によるカメラ６での撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４回等）に達するまで、一定の時間間隔で撮影を繰り返し、複数の撮影画像（静止画像）を得るようになっている。
　【００３２】
　上記撮影画像（静止画像）は、ディスプレイ８の表示部３６に表示されて使用者２に対してプレビュー確認させるようになっている。そして、ディスプレイ８には、プレビューを確認させた静止画像について撮りなおしを希望するか否かの選択を促す画面を表示し、使用者２が撮りなおしを希望する場合は、タッチペン１２でキャンセル操作を行なって再度シャッタ操作を行なうようになっている。
　【００３３】
　さらに、上記コンピュータ装置７には画像合成手段３０が設けられ、上記固定画像記憶部３８に固定された静止画像に、タッチペン１２によってディスプレイ８の入力部３５に入力され、ペン入力画像記憶部３２に記憶された文字や図形等の手書き画像等を合成するようになっている。上記画像合成手段３０で合成された合成画像は、ディスプレイ８の表示部３６に表示されるようになっている。
　【００３４】
　また、上記コンピュータ装置７には、送受信手段３９が設けられている。上記送受信手段３９は、例えばインターネット等の通信回線（ＮＥＴ）に接続され、撮影画像や合成画像，アンケートの回答等を上記通信回線を介して外部に出力し、外部のサーバに格納したり端末装置等に出力して表示したり印刷したりできるようになっている。
　【００３５】
　さらに、上記コンピュータ装置７は、プリンタ９による印刷を制御する印刷制御部３４を備えている。上記印刷制御部３４は、所定のシートレイアウトにより印刷媒体１５に合成画像を印刷するよう制御する。
　【００３６】
　ここで、上記ディスプレイ８の表示部３６には、印刷媒体１５の送出口１９の位置を使用者２に知らせるメッセージ画面を表示するようになっている。そして、上記メッセージを、あらかじめプリンタ９の設置箇所によって設定しうるようになっている。このときのメッセージの設定操作は、ディスプレイ８の表示部３６に表示される設定画面の指示に従ってタッチペン１２の操作により行なわれる。
　【００３７】
　上記写真自販機の動作の一例について、図４のフローチャートを参照しながら説明する。ここで、図４において、「Ｓ」はステップを意味する。
　【００３８】
　まず、ディスプレイ８にデモ画面が表示されているなか、使用者２がコイン投入口１８に必要なコインを投入すると（Ｓ１２０）、カメラ６による被写体２の撮像が開始される（Ｓ１４０）。撮像の開始により、ディスプレイ８の表示部３６に撮像映像が動画としてリアルタイムで表示される。
　【００３９】
　つぎに、使用者２がディスプレイ８の表示画像を見ながら被写体２の位置調整を完了した後に、タッチペン１２を用いて画面の指示に従ってシャッタ操作の操作信号を入力すると（Ｓ１６０）、使用者２にポーズをとるよう指示し、それから所定時間のカウントダウン後に、所定の瞬間の撮像映像が固定画像記憶部３８に固定される（Ｓ１８０）。このとき、ディスプレイ８には、そのときの撮影画像が静止画像として表示される。
　【００４０】
　そして、固定された静止画像をディスプレイ８の表示部３６に表示して使用者２に対してプレビュー確認させ、ディスプレイ８にはプレビューを確認させた静止画像について撮りなおしを希望するか否かの選択を促すメッセージを表示する（Ｓ２００）。
　【００４１】
　ステップ２００において、使用者２が撮りなおしを希望する場合は、タッチペン１２でキャンセル操作を行なってステップ１６０に戻り、再度、カメラ６による撮像とシャッタ操作とを行なう。ステップ２００において、撮りなおしを行なわない場合は、カウンタ２５の撮影回数が規定の撮影可能回数に達しているか否かが確認される（Ｓ２２０）。
　【００４２】
　ステップ２２０において、規定の撮影可能回数に達していなければ、ステップ１６０に戻り、再度、カメラ６による撮像とシャッタ操作とを行なう。一方、ステップ２２０において、規定の撮影可能回数に達していれば、タッチペン１２を操作することによる手書き画像等の入力が開始される（Ｓ２４０）。
　【００４３】
　ここで、手書き画像の入力画面の一例を図５に示す。この手書き画像入力画面において、２１ａ，２１ｂ，２１ｃは、それぞれ手書きペン，スタンプ画像，アルファベット文字を入力する際にタッチペン１２でタップするアイコンである。
　【００４４】
　手書き画像を入力する際には、手書きペンのアイコン２１ａをタッチペン１２の先端でタップしてから、タッチペン１２の先端を、表示された撮影画像２２の上に接触させて絵や文字を描くことにより、手書き画像の入力が行なわれる。
　【００４５】
　スタンプ画像を入力する際には、スタンプ画像のアイコン２１ｂをタッチペン１２の先端でタップしてから、タッチペン１２の先端を、表示された撮影画像２２の上に接触させることにより、スタンプ画像の入力が行なわれる。
　【００４６】
　アルファベット文字を入力する際には、アルファベット文字のアイコン２１ｃをタッチペン１２の先端でタップしてから、タッチペン１２の先端を、表示された撮影画像２２の上に接触させることにより、アルファベット文字の入力が行なわれる。
　【００４７】
　このようにして、図６に示すように、手書き画像２７やスタンプ画像２８等が入力され、表示された撮影画像２２の上に合成される。
　【００４８】
　そして、上記手書き画像等の入力は、タイマ２６の計測時間があらかじめ設定された所定の入力可能時間（例えば９０秒等）に達するまで続けられる（Ｓ２６０）。ステップ２６０において規定の入力可能時間に達すると、手書き画像等の入力が停止され、印刷の際のシートレイアウトの選択が行なわれる（Ｓ２８０）。ここでのシートレイアウトの選択は、ディスプレイ８の表示部３６にシートレイアウトの見本画面が表示され、タッチペン１２の操作により所望のシートレイアウトを選択することが行なわれる。
　【００４９】
　ついで、シートレイアウトの選択が終了すると、合成画像の画像データがプリンタ９に送られ、ステップ２８０で選択されたシートレイアウトにより印刷が開始される（Ｓ３００）。印刷が開始されると、印刷終了までの間に使用者２が待機する場所を示す待機メッセージ画面がディスプレイ８の表示部３６に表示される（Ｓ３２０）。
　【００５０】
　上記待機メッセージ画面は、例えば、図７に示すように、印刷された写真プリントが送出口１９から送出される場所（この例では筐体１の右側面）を示す矢印２９と、「プリントしています。こちらがわに出てまっててね！」というメッセージとが表示されている。そして、一定時間待機メッセージ画面を表示したのち、ディスプレイ８には最初のデモ画面が表示され、印刷の終了を待たずにつぎの使用者の撮影を待機する状態となる。そののち、印刷が終了すると、印刷された印刷媒体１５（写真プリント）が出力される。
　【００５１】
　ここで、シートレイアウトの一例を図８に示す。この例では、写真プリントとしてシールプリントに出力した例を示しており、４１はシール台紙、４２はシールである。
　【００５２】
　図９は、上記写真自販機の使用状態の第２例を示す。この例では、左右側面のパネル１６ａ，１６ｂを交換して送出口１９を左側面に位置させるとともに、プリンタ９を左側面部のプリンタ設置台１３ｄに設置している。
　【００５３】
　このように、上記写真自販機によれば、撮影が終了してから印刷が終了するまでの間、撮影が終了した使用者２は撮影位置とは異なる位置で写真プリントの仕上がりを待つことができる。したがって、顧客は不必要に待たされることによるイライラ感を抱くことが少なくなり、店舗にとっては顧客の回転率がほとんど悪くならない。また、店舗内のレイアウト等に合わせた位置にプリンタ９を存在させればよいことから、店舗内での置き場所の制限が少なくなる。また、上記筐体１が撮影用ブースの一部を構成するものであるため、写真自販機全体が比較的大型のものとなることから、店舗内でのレイアウトの自由度が少なくなるため、店舗内のレイアウト等に合わせた位置にプリンタ９を移動できる本発明の効果が顕著で効果的である。
　【００５４】
　なお、上記写真自販機では、合成画像を印刷するかわりに、送受信手段３９により通信回線を介して外部に出力し、外部のサーバに格納したり端末装置等に出力して表示したり、あるいは外部で印刷したりすることもできる。
　【００５５】
　図１０は、本発明の第２の実施の形態の写真自販機である。この写真自販機では、筐体１内の被写体２側の前面にもプリンタ設置台１３ｅが設けられている。それ以外は、上記実施の形態と同様であり、同様の作用効果を奏する。
　【００５６】
　図１１は、本発明の第３の実施の形態の写真自販機を示す。この写真自販機では、複数のプリンタ設置台１３ａ，１３ｂ，１３ｃ，１３ｄにそれぞれプリンタ９が設置され、店舗内のレイアウト等に合わせた位置のプリンタ９を選択的に使用するようになっている。それ以外は、上記各実施の形態と同様であり、同様の作用効果を奏する。
　【００５７】
　なお、上記各実施の形態では、使用者２に写真プリントの送出口１９の位置を知らせるために、ディスプレイ８にメッセージ画面を表示するようにしたが、これに限定するものではなく、パトライト等の位置表示手段によって送出口１９の位置を表示するようにしてもよい。
　【００５８】
　また、上記各実施の形態において、プリンタ９としては、昇華型プリンタ，インクジェットプリンタ，レーザプリンタ，熱転写型プリンタ，溶融型プリンタ，サーマルプリンタ，印画紙プリンタ，インスタントフィルムプリンタ等、各種のタイプのプリンタを適用することができ、特に限定するものではない。
　【００５９】
　また、上記各実施の形態では、出力する写真プリントがシールプリントである例を示したが、これに限定するものではなく、カード等として出力するものも含む趣旨であり、印刷媒体１５の材質や構成を限定する趣旨ではない。
　【００６０】
　また、上記各実施の形態では、コインの投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。
　【００６１】
　また、上記各実施の形態では、カメラ６での撮像映像とペン入力画像等とのふたつの画像を合成するようにしたが、これに限定するものではなく、これらの画像に、さらに前景や背景等になるフレーム画像を合成するようにしてもよい。
　【００６２】
　また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
　【００６３】
　また、上記実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
　【００６４】
　また、上記実施の形態において、外部端末としては、例えば、携帯電話，コンピュータ装置，ファクシミリ装置，携帯情報端末等を用いることができる。これらの外部端末は普及率が高く、容易かつ安価にデータの送受信を行うことができる。また、上記外部端末として携帯電話を用いる場合、８００ＭＨｚアナログ方式，８００ＭＨｚデジタル方式，１．５ＧＨｚデジタル方式の各種携帯電話や、簡易型携帯電話（ＰＨＳ）等を用いることができるが、携帯して移動可能な電話であれば、各種のものを用いることができる。
　【００６５】
　また、上記実施の形態では、インターネットを介してデータを送受信する例を示したが、インターネット以外の通信回線として、例えば、アナログ電話回線，高速デジタル回線（ＩＳＤＮ回線），無線，光ファイバ，携帯電話回線（例えば、ＤｏＰａ等），ＺＡＱ，ＰＨＳ回線（例えば、ＰＩＡＦＳ，αＤＡＴＡ３２等），総合知的通信網（ＵＩＣＮ），新高度情報通信（ＶＩ＆Ｐ），衛生通信回線，有線放送，各種通信ケーブルによるデータ通信やデータ転送等があげられるが、これら以外の各種のものも用いることができる。また、接続は、常時接続であると、そのつどダイヤルアップして接続するものであるとを問わない。
　【００６６】
　【発明の効果】
　以上のように、本発明の写真自販機によれば、撮影が終了してから印刷が終了するまでの間、撮影が終了した使用者は撮影位置とは異なる位置で写真プリントの仕上がりを待つことができる。したがって、顧客は不必要に待たされることによるイライラ感を抱くことが少なくなり、店舗にとっては顧客の回転率がほとんど悪くならない。また、店舗内のレイアウト等に合わせた位置にプリンタを存在させればよいことから、店舗内での置き場所の制限が少なくなる。
　また、使用者に上記プリンタで印刷される印刷媒体の送出口の位置を知らせる位置表示手段による送出口の位置表示を、あらかじめプリンタの設置箇所によって設定することができる。また、上記位置表示手段による送出口の位置表示は、印刷終了までの間に使用者が待機する場所を示す待機メッセージ画面であり、上記待機メッセージ画面を一定時間表示したのち、印刷の終了を待たずにつぎの撮影を待機する状態となるので、顧客は不必要に待たされることによるイライラ感を抱くことが少なくなり、店舗にとっては顧客の回転率がほとんど悪くならない。
【図面の簡単な説明】
　【図１】
　本発明の写真自販機の一実施の形態を示す縦断面図である。
　【図２】
　上記写真自販機を示す横断面図である。
　【図３】
　コンピュータ装置のシステム構成図である。
　【図４】
　上記写真自販機の動作の一例を説明するフローチャート図である。
　【図５】
　手書き画像の入力画面を示す図である。
　【図６】
　手書き画像の入力状態を示す図である。
　【図７】
　メッセージ画面の一例を示す図である。
　【図８】
　合成画像をシールプリントに出力した状態の一例を示す図である。
　【図９】
　上記写真自販機の使用状態の第２例を示す横断面図である。
　【図１０】
　本発明の写真自販機の第２の実施の形態を示す縦断面図である。
　【図１１】
　本発明の写真自販機の第３の実施の形態を示す横断面図である。
　【図１２】
　従来例を示す断面図である。
　【符号の説明】
　１　筐体
　２　被写体
　６　カメラ
　９　プリンタ
　１３ａ，１３ｂ　プリンタ設置台
　１５　印刷媒体